(57)【要約】【課題】プラズマディスプレイ装置を提供する。【解決手段】前面基板及び背面基板を備えるプラズマディスプレイパネル、プラズマディスプレイパネルの背面に配置されるシャーシベース、シャーシベースの表面に備えられ、複数の電子部品が装着された回路基板組立体、前面基板及び背面基板の内表面に形成された電極と回路基板組立体との間に連結された信号伝達用のケーブル、前面基板の表面に付着された柔軟性フィルタ、及び柔軟性フィルタを前面基板の表面に付着させるように、柔軟性フィルタのエッジに沿って塗布される接着剤を備えるプラズマディスプレイ装置である。【選択図】図２
2006201769.tif 000002
【特許請求の範囲】
【請求項１】
前面基板及び背面基板を備えるプラズマディスプレイパネルと、
前記プラズマディスプレイパネルの背面に配置されるシャーシベースと、
前記シャーシベースの表面に備えられ、複数の電子部品が装着された回路基板組立体と、
前記前面基板及び背面基板の内表面に形成された電極と前記回路基板組立体との間に連結された信号伝達用のケーブルと、
前記前面基板の表面に付着された柔軟性フィルタと、
前記柔軟性フィルタを前記前面基板の表面に付着させるように、前記柔軟性フィルタのエッジに沿って塗布される接着剤と、を備えることを特徴とするプラズマディスプレイ装置。
【請求項２】
前記柔軟性フィルタの面積は、前記前面基板の面積より小さく、前記接着剤は、第１接着剤及び第２接着剤を備え、前記第１接着剤が前記柔軟性フィルタのエッジに沿って塗布される一方、前記第２接着剤は、前記信号伝達用のケーブルが連結された前記背面基板の内表面のエッジに沿って塗布されることを特徴とする請求項１に記載のプラズマディスプレイ装置。
【請求項３】
前記柔軟性フィルタの面積と前記前面基板の面積とは同一であり、前記接着剤は、前記柔軟性フィルタのエッジに塗布されると共に、前記信号伝達用のケーブルが連結された前記背面基板の内表面のエッジに沿って塗布されることを特徴とする請求項１に記載のプラズマディスプレイ装置。
【請求項４】
前記接着剤は、連続的または断続的に塗布されることを特徴とする請求項１に記載のプラズマディスプレイ装置。
【請求項５】
前記接着剤は、連続的または断続的に塗布されることを特徴とする請求項２に記載のプラズマディスプレイ装置。
【請求項６】
前記接着剤は、連続的または断続的に塗布されることを特徴とする請求項３に記載のプラズマディスプレイ装置。
【請求項７】
前記接着剤は、エポキシまたはシリコン材料で形成されたことを特徴とする請求項１に記載のプラズマディスプレイ装置。
【請求項８】
前記接着剤は、エポキシまたはシリコン材料で形成されたことを特徴とする請求項２に記載のプラズマディスプレイ装置。
【請求項９】
前記接着剤は、エポキシまたはシリコン材料で形成されたことを特徴とする請求項３に記載のプラズマディスプレイ装置。
【請求項１０】
前記柔軟性フィルタに形成された導電性金属のウェブと前記シャーシベースとを連結する導電性ケーブルがさらに備えられ、前記導電性ケーブルは、前記接着剤により定位置に固定されるように延びることを特徴とする請求項１に記載のプラズマディスプレイ装置。
【請求項１１】
前記柔軟性フィルタに形成された導電性金属のウェブと前記シャーシベースとを連結する導電性ケーブルがさらに備えられ、前記導電性ケーブルは、前記第１及び第２接着剤により定位置に固定されるように延びることを特徴とする請求項２に記載のプラズマディスプレイ装置。
【請求項１２】
前記柔軟性フィルタに形成された導電性金属のウェブと前記シャーシベースとを連結する導電性ケーブルがさらに備えられ、前記導電性ケーブルは、前記接着剤により定位置に固定されるように延びることを特徴とする請求項３に記載のプラズマディスプレイ装置。
【発明の詳細な説明】
【技術分野】
【０００１】
本発明は、プラズマディスプレイ装置に係り、特にエポキシまたはシリコンのような接着剤を利用して直接付着フィルタをパネルの前面に付着させたプラズマディスプレイ装置に関する。
【背景技術】
【０００２】
プラズマディスプレイ装置は、ガス放電現象を利用して画像を表示する平板ディスプレイ装置であって、表示容量、輝度、コントラスト、残像及び視野角などの各種の表示能力が優れており、薄型であり、大画面の表示が可能であるので陰極線管（ＣＲＴ）を代替できる次世代の大型の平板ディスプレイ装置として注目されている。プラズマディスプレイ装置には、ガラス基板で構成されたプラズマディスプレイパネル（ＰＤＰ）及び前記パネルを支持するためのシャーシベースが備えられている。
【０００３】
図１は、通常的なプラズマディスプレイ装置の一部に対する概略的な斜視図である。
【０００４】
図１に示すように、プラズマディスプレイ装置に備えられたＰＤＰは、前面基板１１０及び背面基板１２０を備え、前記ＰＤＰは、シャーシベース３０に固定される。シャーシベース３０の背面には、回路基板組立体（図示せず）が設置される。前面基板１１０上に形成された電極に対して電気的に連結される信号伝達用のケーブル３１、及び背面基板１２０上に形成された電極に対して電気的に連結される信号伝達ケーブル３２は、シャーシベース３０の背面に延びて前記シャーシベース３０上に固定された回路基板組立体の電子部品と連結される。
【０００５】
前面基板１１０の前方には、ガラスフィルタ１４が配置されるが、前記ガラスフィルタ１４は、フィルタホルダ１５により前面ケース１０内に固定される。前面ケース１０に形成されたウィンドウ１２を通じて、ガラスフィルタ１４及び前面基板１１０がエッジ１１を除いて露出される。シャーシベース３０により維持されるＰＤＰは、前面ケース１０及び背面ケース４０が相互に組み立てられたときに形成される空間内に設置される。
【０００６】
ガラスフィルタ１４は、ガラスの表面上に多層のコーティングを適用することによって、多様な機能を提供する。例えば、導電性が優れた銅のような金属材料でメッシュフィルムを形成することによって、電磁波の遮蔽機能を提供でき、近赤外線や紫外線を遮断するか、乱反射を防止するか、またはコントラストを向上させる多様な物理化学的処理がガラスフィルタの表面に付加されうる。
【０００７】
最近の傾向によれば、ＰＤＰの大型化によってガラスフィルタも大きくなる。したがって、ガラスフィルタ１４の重量だけでなく、ガラスフィルタ１４を維持するフィルタホルダ１５の重量も増加して製造コスト及び取り扱いの側面で不利になる。
【０００８】
前記のような問題点を解決するための一つの方法として、ガラスフィルタ１４の代わりに軽い柔軟性フィルタの使用が提案された。柔軟性フィルタは、重合体フィルムのような柔軟性材料を基にその表面に所定の機能を提供できるコーティングを適用したものである。しかし、柔軟性フィルタをプラズマディスプレイ装置に適用するにおいて、柔軟性フィルタを安定的に維持する手段が欠けているという問題点がある。特に、柔軟性フィルタを前面基板の表面に直接的に付着させる場合に、ＰＤＰで発生する高温により柔軟性フィルタが外れるという問題点がある。
【発明の開示】
【発明が解決しようとする課題】
【０００９】
本発明の一目的は、前記のような問題点を解決するためのものであって、改善されたプラズマディスプレイ装置を提供するところにある。
【００１０】
本発明の一目的は、ＰＤＰに直接的に付着される柔軟性フィルタを備えたプラズマディスプレイ装置を提供するところにある。
【００１１】
本発明の一目的は、高温の環境や低温多湿の環境でも柔軟性フィルタの安定的な維持が可能なプラズマディスプレイ装置を提供するところにある。
【課題を解決するための手段】
【００１２】
前記の目的を達成するために、本発明によれば、前面基板及び背面基板を備えるＰＤＰ、前記ＰＤＰの背面に配置されるシャーシベース、前記シャーシベースの表面に備えられ、複数の電子部品が装着された回路基板組立体、前記前面基板及び背面基板の内表面に形成された電極と前記回路基板組立体との間に連結された信号伝達用のケーブル、前記前面基板の表面に付着された柔軟性フィルタ、及び前記柔軟性フィルタを前記前面基板の表面に付着させるように、前記柔軟性フィルタのエッジに沿って塗布される接着剤を備えるプラズマディスプレイ装置が提供される。
【００１３】
本発明の一特徴によれば、前記柔軟性フィルタの面積は、前記前面基板の面積より小さく、前記接着剤は、第１接着剤及び第２接着剤を備え、前記第１接着剤が前記柔軟性フィルタのエッジに沿って塗布される一方、前記第２接着剤は、前記信号伝達用のケーブルが連結された前記背面基板の内表面のエッジに沿って塗布される。
【００１４】
本発明の他の特徴によれば、前記柔軟性フィルタの面積と前記前面基板の面積とは同一であり、前記接着剤は、前記柔軟性フィルタのエッジに塗布されると共に、前記信号伝達用のケーブルが連結された前記背面基板の内表面のエッジに沿って塗布される。
【００１５】
本発明の他の特徴によれば、前記接着剤は、連続的にまたは断続的に塗布される。
【００１６】
本発明の他の特徴によれば、前記接着剤は、エポキシまたはシリコン材料で形成される。
【発明の効果】
【００１７】
本発明によるプラズマディスプレイ装置では、ガラスフィルタの代わりに柔軟性フィルムを使用するので装置の全体が軽くなり、フィルタを設置するための付随的な構造物が除去されうる。また、エポキシ材料またはシリコン材料の接着剤を利用して柔軟性フィルタをパネルの前面基板に直接的に付着するため、ＰＤＰで発生する熱による接着力の低下が防止される。さらに、エポキシやシリコン材料は、熱の放散を補助する役割を行い、ノイズを低減させる付随的な長所を有する。また、高温の環境や低温多湿の環境でも柔軟性フィルタの安定的な維持が可能になる。また、接着剤が異物の流入を防止できる。
【発明を実施するための最良の形態】
【００１８】
以下、本発明を、図面に示した実施形態を参考にしてさらに詳細に説明する。
【００１９】
図２は、本発明によるプラズマディスプレイ装置の概略的な分解斜視図である。図２に表示された図面符号のうち、図１の図面符号と同じものは実質的に同じ構成を表示するものである。
【００２０】
図２に示すように、プラズマディスプレイ装置は、前面基板１１０及び背面基板１２０を備えるＰＤＰ、前記ＰＤＰを維持させるシャーシベース３０、前記前面基板１１０の表面に直接的に付着される柔軟性フィルタ２００、前記シャーシベース３０が設置される内部空間を形成するように相互結合される前面ケース１０及び背面ケース４０を備える。信号伝達用のケーブル３１は、前面基板１１０の内表面に形成された電極とシャーシベース３０の背面に設置された回路基板組立体（図示せず）上の電子部品とを電気的に連結し、他の信号伝達用のケーブル３２は、背面基板１２０の内表面に形成された電極とシャーシベース３０の背面に設置された回路基板組立体（図示せず）上の電子部品とを電気的に連結する。
【００２１】
前面基板１１０の表面には、柔軟性フィルタ２００が付着される。柔軟性フィルタ２００は、公知のものを使用できるが、例えば透明または不透明なプラスチック材料のようなフィルムの表面に多様な物理化学的処理を行ったものを使用できる。例えば、電磁波を遮断するための導電性金属のウェブをフィルムの表面に形成するか、または特定の波長帯の光を遮断できる染料をコーティングするか、または外光の反射を防止可能にフィルムの一表面に微細なスクラッチを形成することも可能である。
【００２２】
図３は、本発明の一実施形態によるプラズマディスプレイ装置の概略的な側面断面図である。
【００２３】
図３に示すように、前面基板１１０と背面基板１２０とが相互結合されてＰＤＰを形成する。背面基板１２０の背面には、シャーシベース３０が配置されるが、背面基板１２０の背面とシャーシベース３０の一表面とが接着テープ３０６を用いて相互接着される。放熱部材３０５は、ＰＤＰの作動時に発生する熱をシャーシベース３０に放出するためのものである。シャーシベース３０の背面には、回路基板組立体３１０がボス３２０を介して組み立てられる。回路基板組立体３１０の表面には、複数の電子部品が装着される。信号伝達用のケーブル３２は、背面基板１２０の内表面に形成され、エッジに延びた透明電極（図示せず）を回路基板組立体３１０上に形成された回路に連結する役割を行う。図面では、背面基板１２０に対する信号伝達用のケーブル３２が示されているが、前面基板１１０に対する信号伝達用のケーブル３１（図２）も共に備えられる。
【００２４】
本発明の一特徴によれば、柔軟性フィルタ２００は、前面基板１１０の表面に第１の接着剤３０１を用いて接着されうる。第１接着剤３０１は、シリコンまたはエポキシでありうる。
【００２５】
図３に示した実施形態において、柔軟性フィルタ２００の面積は、前面基板１１０の面積より小さい。したがって、第１接着剤３０１は、柔軟性フィルタ２００のエッジ及び前面基板１１０のエッジに沿って塗布される。一方、前記第１接着剤３０１とは別途に、第２接着剤３０２が信号伝達用のケーブル３２の固定に使われうる。第２接着剤３０２は、背面基板１２０のエッジに沿って前記信号伝達用のケーブル３２を覆うように塗布されうる。第２接着剤３０２は、背面基板１２０に連結された他の信号伝達用のケーブル３１の固定にも使われうる。第２接着剤３０１も、シリコンまたはエポキシでありうる。
【００２６】
第１接着剤３０１は、柔軟性フィルタ２００のエッジ及び前面基板１１０のエッジに沿って連続的に塗布されるか、または断続的に塗布されうる。また、前面基板１１０の上側、下側、左側及び右側のエッジのうち選択的に塗布されうるが、例えば上側及び下側のエッジにのみ塗布されることもある。同様に、第２接着剤３０２も、背面基板１２０の内表面のエッジ及び前面基板１１０の内表面のエッジに沿って連続的に塗布されるか、または断続的に塗布されうる。このとき、第２接着剤３０２は、背面基板１２０の内表面では、信号伝達用のケーブル３２が連結される上側及び下側のエッジにのみ塗布され、前面基板１２０の内表面では、左側及び右側のエッジにのみ塗布される。
【００２７】
図５に示したように、柔軟性フィルタ２００の一表面に形成された電磁波の遮断用の導電性金属のウェブ５１を接地させるように、接地線が第１接着剤３０１及び第２接着剤３０２を横切って延びる。例えば、柔軟性フィルタ２００に形成された導電性ウェブ５１に連結された導電性ケーブル５２が、前面基板１１０と背面基板１２０のエッジを横切ってシャーシベース３０に連結されうるが、かかる導電性ケーブル５２は、第１接着剤３０１と前面基板１１０との間及び第２接着剤３０２と背面基板１２０との間を通じて延びる。したがって、導電性ケーブル５２は、第１接触剤３０１及び第２接着剤３０２により定位置に固定された状態に維持されうる。
【００２８】
第１接着剤３０１または第２接着剤３０２として使われるシリコンやエポキシは、ＰＤＰで発生する熱に起因した接着力の低下を防止できる。すなわち、ＰＤＰの作動時に高温の熱が発生しても接着力が低下されず、したがって、柔軟性フィルタ２００の脱落が防止される。また、シリコン及びエポキシは放熱性能があるので、ＰＤＰの熱を放散させる効果を期待できる。さらに、第１接着剤３０１及び第２接着剤３０２を使用することによって、異物の浸透を防止でき、特に柔軟性フィルタ２００と前面基板１１０との間に異物の浸透を防止できる。
【００２９】
図４は、本発明の他の実施形態によるプラズマディスプレイ装置の概略的な側面断面図である。
【００３０】
図４に示すように、柔軟性フィルタ２００は、前面基板１１０の面積と同一である。したがって、柔軟性フィルタ２００と前面基板１１０のエッジは、互いに対して一致する。かかる場合に、接着剤３０３は、柔軟性フィルタ２００のエッジ及び背面基板１２０の内表面のエッジに沿って塗布されうる。背面基板１２０の内表面のエッジに沿って塗布された接着剤３０３は、信号伝達用のケーブル３２を覆うように共に塗布されることによって、信号伝達用のケーブル３２の固定にも適用されうる。一方、前面基板１１０の内表面で信号伝達用のケーブル３２が連結される左側及び右側のエッジには、前記接着剤３０３とは別途に他の接着剤を使用できる。いかなる場合にも、接着剤３０３は、前述したようにシリコンやエポキシを使用できる。接着剤３０３は、異物が前面基板と背面基板との間及び前面基板と柔軟性フィルタとの間に浸透されることを防止できる。
【００３１】
また、図示していないが、柔軟性フィルタ２００に形成された導電性金属膜に連結された導電性ケーブル（図示せず）が接着剤３０３と基板１１０，１２０の側面との間を通じてシャーシベース３０に延びることによって、導電性ケーブルが定位置に固定されうる。導電性ケーブルは、柔軟性フィルタ２００に形成された導電性金属のウェブを通じて流れる電磁波による電流を接地させる役割を行える。
【００３２】
本発明は、図面に示した実施形態を参考にして説明されたが、これは、例示的なものに過ぎず、当業者であれば、これから多様な変形及び均等な他の実施形態が可能であるという点を理解できるであろう。したがって、本発明の真の技術的保護範囲は、特許請求の範囲の技術的思想により決まらねばならない。
【産業上の利用可能性】
【００３３】
本発明は、プラズマディスプレイ装置関連の技術分野に適用可能である。
【図面の簡単な説明】
【００３４】
【図１】通常的なプラズマディスプレイ装置に対する概略的な分解斜視図である。
【図２】本発明によるプラズマディスプレイ装置に対する概略的な分解斜視図である。
【図３】本発明によるプラズマディスプレイ装置の第１実施形態の一部に対する概略的な側面図である。
【図４】本発明によるプラズマディスプレイ装置の第２実施形態の一部に対する概略的な側面図である。
【図５】本発明によるプラズマディスプレイ装置の第３実施形態の一部に対する概略的な側面図である。
【符号の説明】
【００３５】
１０  前面ケース
１１  エッジ
１２  ウィンドウ
３０  シャーシベース
３１，３２  信号伝達用のケーブル
４０  背面ケース
１１０  前面基板
１２０  背面基板
２００  柔軟性フィルタ
【図１】
2006201769.tif 000003
【図２】
2006201769.tif 000004
【図３】
2006201769.tif 000005
【図４】
2006201769.tif 000006
【図５】
2006201769.tif 000007